(57)【要約】      （修正有）【課題】手提げカバン、あるいはショルダーバッグに装飾紙やパソコンやゲーム等のスクリーンの収納を実現可能とした透明状ポケットを一体的に取り付けた透明状ポケット付き収納体を提供する。【解決手段】第１の側面体３と第２の側面体の周縁部が所定幅の連結体５で連結されると共に、この連結体５の一部が出し入れ口６とされた収納体２と、少なくとも第１の側面体３、あるいは第２の側面体のいずれか一方に取り付けられ、その開放端に密閉状の開閉部１０が設けられた透明状収納ポケット４を備える。【選択図】図１
0003170865.tif 000002
【実用新案登録請求の範囲】
【請求項１】
第１の側面体と第２の側面体の周縁部が所定幅の連結体で連結されると共に、該連結体の一部が出し入れ口とされた収納体と、
少なくとも前記第１の側面体、あるいは第２の側面体のいずれか一方に取り付けられ、その開放端に密閉状の開閉部が設けられると共に、少なくとも一部が透明材料で形成された透明状収納ポケットとを備える
透明状ポケット付き収納体。
【請求項２】
前記透明状収納ポケットは、
その周縁と前記収納体との間に設けられた立ち上がり連結体により所定の厚さを有する
請求項１に記載の透明状ポケット付き収納体。
【請求項３】
前記透明状収納ポケットは、
その周縁が多角辺とされ、少なくとも前記多角辺の２辺に沿って開閉部が設けられた
請求項１または請求項２に記載の透明状ポケット付き収納体。
【請求項４】
前記収納体の上部に手提げ用としての把持部が取り付けられた
請求項１、請求項２または請求項３に記載の透明状ポケット付き収納体。
【請求項５】
前記開閉部がスライドファスナーにより形成された
請求項１、請求項２、請求項３または請求項４に記載の透明状ポケット付き収納体。
【請求項６】
前記透明状収納ポケットは、
前記立ち上がり連結体の長手方向に沿って少なくとも１本の折目を設けることでその厚さ方向に収縮自在とされた
請求項２に記載の透明状ポケット付き収納体。
【請求項７】
第１の側面体と第２の側面体の周縁部が所定幅の連結体で連結されると共に、該連結体の一部が出し入れ口とされた収納体と、
少なくとも前記第１の側面体、あるいは第２の側面体のいずれか一方に取り付けられると共に、少なくとも一部が透明材料で形成された透明状収納ポケットとを備える
透明状ポケット付き収納体。
【考案の詳細な説明】
【技術分野】
【０００１】
本考案は透明状ポケット付き収納体に関する。詳しくはカバン、あるいはバッグ等に装飾紙やパソコンやテレビのスクリーン等が収納可能な透明状ポケットを具備した透明状ポケット付き収納体に係るものである。
【背景技術】
【０００２】
従来、この種の収納体として、例えば特許文献１に記載されたものが知られている。
具体的には、特許文献１に記載された単車用ツーリングバッグは、図９に示すように、バッグ本体１０１と、地図を収納し、かつ透明な表面フイルム１０２を有する地図収納扁平体１０３とを備えている。
【０００３】
ここで、特許文献１に記載された単車用ツーリングバッグでは、地図を収納して単車の進行方向の方角に一致するように地図収納扁平体を回転自在とするためにバッグ本体と地図収納扁平体とは別体とされている。
【先行技術文献】
【特許文献】
【０００４】
【特許文献１】特開２００６−２９８０９０号公報
【考案の概要】
【考案が解決しようとする課題】
【０００５】
しかしながら、上述した特許文献１に記載された単車用ツーリングバッグでは、単車からバッグを取り外して手提げバッグとして使用する場合には、歩行等の際に地図収納扁平体が左右方向に振れて非常に不安定となる問題があり、そもそも一般的な手提げカバンやショルダーバッグ等としての使用を前提とするものではなかった。
【０００６】
本考案は、以上の点に鑑みて創案されたものであって、手提げカバン、あるいはショルダーバッグに装飾紙やパソコンやゲーム等のスクリーンの収納を実現可能とした透明状ポケットを一体的に取り付けた透明状ポケット付き収納体を提供することを目的とするものである。
【課題を解決するための手段】
【０００７】
上記の目的を達成するために、本考案に係る透明状ポケット付き収納体は、第１の側面体と第２の側面体の周縁部が所定幅の連結体で連結されると共に、該連結体の一部が出し入れ口とされた収納体と、少なくとも前記第１の側面体、あるいは第２の側面体のいずれか一方に取り付けられ、その開放端に密閉状の開閉部が設けられると共に、少なくとも一部が透明材料で形成された透明状収納ポケットとを備える。
【０００８】
ここで、少なくとも第１の側面体、あるいは第２の側面体のいずれか一方に取り付けられた透明状収納ポケットの開放端に密閉状の開閉部が設けられたことによって、透明状収納ポケット内への収納物（例えば、和紙等による装飾紙やパソコンやゲーム機のスクリーン等）を雨水や埃の浸入から保護することができる。また、開閉部が密閉状であることによって、収納物の落下をより効果的に抑止することが可能となる。
【０００９】
なお、収納ポケットの開放端にボタン留め等の非密閉状の開閉部を設けた場合であっても、その内部に収納物を収納可能な収納ポケットを構成することはできる。しかしながら、非密閉状である場合には、雨水や埃が浸入したり、収納物が落下したりすることで収納物の保護が充分とは言い切れない。
【００１０】
また、透明状収納ポケットは、少なくとも一部が透明材料で形成されたことによって、内部の収納物が外部から視認可能となる。
【００１１】
また、透明状収納ポケットが、その周縁と収納体との間に設けられた立ち上がり連結体により所定の厚さを有する様に構成された場合には、一定の厚さ有するノートパソコンや雑誌等の収納が可能となる。
【００１２】
更に、透明状収納ポケットの周縁が多角辺（例えば四角辺）とされ、少なくとも多角辺の２辺に沿って開閉部が設けられた場合には、透明状収納ポケットと略同等の大きさの被収納物の出し入れを支障無く行うことが可能となる。
【００１３】
また、収納体の上部に手提げ用としての把持部が取り付けられることで通勤、あるいは通学等におけるカバンとして活用することができる。
【００１４】
また、開閉部がスライドファスナーにより形成されることで、透明状収納ポケット内への出し入れを容易に行うことが可能となる。
【００１５】
また、立ち上がり連結体の長手方向に沿って少なくとも１本の折目を設けることで透明状収納ポケットの厚さ方向に収縮自在となり、透明状収納ポケット内に収納する被収納物の厚さに応じて透明状収納ポケットの厚さを変化することができる。
【００１６】
また、上記の目的を達成するために、本考案に係る透明状ポケット付き収納体は、第１の側面体と第２の側面体の周縁部が所定幅の連結体で連結されると共に、該連結体の一部が出し入れ口とされた収納体と、少なくとも前記第１の側面体、あるいは第２の側面体のいずれか一方に取り付けられると共に、少なくとも一部が透明材料で形成された透明状収納ポケットとを備える。
【００１７】
ここで、透明状収納ポケットは、少なくとも一部が透明材料で形成されたことによって、内部の収納物が外部から視認可能となる。
【考案の効果】
【００１８】
本考案の透明状ポケット付き収納体によれば、歩行等の際に透明状収納ポケットが振れることなく透明状収納ポケット内に装飾紙、あるいはパソコンやゲーム機のスクリーンを収納することが可能となる。また、透明状収納ポケットに収納した被収納物を充分に保護することができる。
【図面の簡単な説明】
【００１９】
【図１】本考案を適用した実施例１における透明状ポケット付き収納体の一例を説明するための模式図である。
【図２】本考案を適用した実施例１における透明状ポケット付き収納体の一例を説明するための側面図である。
【図３】本考案を適用した実施例１における透明状ポケット付き収納体の使用状態の一例を説明するための模式図である。
【図４】本考案を適用した実施例２における透明状ポケット付き収納体の一例を説明するための模式図である。
【図５】本考案を適用した実施例２における透明状ポケット付き収納体の一例を説明するための側面図である。
【図６】本考案を適用した実施例２における透明状ポケット付き収納体の透明状ポケットの立ち上がり連結体の他の形態を示す模式図である。
【図７】本考案を適用した実施例２における透明状ポケット付き収納体の透明状ポケットの他の形態を示す模式図である。
【図８】本考案を適用した実施例２における透明状ポケット付き収納体の使用状態の一例を説明するための模式図である。
【図９】従来の透明状ポケット付き収納体の一例を説明するための模式図である。
【考案を実施するための形態】
【００２０】
以下、本考案の実施の形態を図面を参酌しながら説明し、本考案の理解に供する。
【００２１】
＜実施例１＞
図１は本考案を適用した透明状ポケット付き収納体の一例を説明するための模式図、図２は本考案を適用した透明状ポケット付き収納体の一例を説明するための側面図である。
【００２２】
ここで示す透明状ポケット付き収納体１は、手提げ（本実施例では手提げカバン）、あるいは肩掛け用のカバンやバッグとしての収納体２と、この収納体２の第１の側面体３に取り付けられた透明状ポケット４とから構成されている。
【００２３】
なお、本実施例では、第１の側面体３に透明状ポケット４が取り付けられた場合を例に挙げているが、第２の側面体３Ａに透明状ポケット４が取り付けられても良く、また、第１の側面体３及び第２の側面体３Ａの双方に透明状ポケット４が取り付けられても良い。
【００２４】
ここで、収納体２は皮革、合成皮革、あるいは合成樹脂材より形成され、第１の側面体３と第２の側面体３Ａと、この第１の側面体３と第２の側面体３Ａの周縁とを所定幅で連結する連結体５とから構成されている。
【００２５】
更に、収納体２の上端の連結体５には出し入れ口６が形成され、この出し入れ口６の開閉を行うためのスライドファスナー７が取り付けられている。
【００２６】
また、第１の側面体３と第２の側面体３Ａの上端の略中央に把持部８がそれぞれ取り付けられている。
【００２７】
更に、収納体２の第１の側面体３には、第１の側面体３よりも一回り小さな形状の透明状ポケット４が取り付けられている。
【００２８】
ここで、透明状ポケット４の開閉部１０である透明体９の上辺１１を除く各辺１１Ａ、１１Ｂ、１１Ｃに取り付けられる被覆部材１２を収納体２の第１の側面体３に縫製等で取り付けることで、上辺が開放状とされた透明状ポケット４が形成されることとなる。
【００２９】
この被覆部材１２は、収納体２の第１の側面体３を構成する素材として用いられる皮革、合成皮革、あるいは合成樹脂材等の素材で形成されると共に、第１の側面体３とは縫製等により取り付けられている。
【００３０】
また、被覆部材１２と透明体９とは縫製、あるいは熱溶着等により密閉状に取り付けられた構成とされている。
【００３１】
更に、透明体９の上辺１１と第１の側面体３との間に雨水等が浸入することができない防水処理を施したスライドファスナー７Ａを取り付けることで透明状ポケット４内を密閉状に構成している。スライドファスナー７Ａは、密閉状の開閉部の一例である。
【００３２】
なお、本実施例では透明体９の上辺１１と第１の側面体３との間にスライドファスナー７Ａを取り付けた場合を例に挙げて説明を行っているが、密閉状の開閉部は必ずしもスライドファスナーを設ける必要はなく、その他の密閉状の開閉部であっても良い。
【００３３】
本考案を適用した透明状ポケット付き収納体では、図３に示すように、紙に植物やドライフラワー、生花等を組み合わせて創作する、あるいは絵画や書等が表現された創作紙Ａを透明状ポケット４内に挿し入れ、防水処理が施されたスライドファスナー７Ａで開閉部１０を密閉状に閉める。
【００３４】
このようにして透明状ポケット４内に創作紙Ａを収納することによって、透明状ポケット４内への雨水や埃等の浸入を防ぐことができ、透明状ポケットに収納された創作紙Ａを充分に保護することができる。
【００３５】
また、透明体９を通して透明状ポケット４に収納された創作紙Ａを外部から視認することができるために、創作紙Ａを通じて透明状ポケット付き収納体１の自由なデザインを実現することとなる。即ち、透明状ポケット４に収納する創作紙Ａを変更することで、透明状ポケット付き収納体１の外観（見た目）が大きく変化することとなり、利用者のニーズに応じたデザイン表現を可能とする。
【００３６】
また、収納体２の上部に把持部８を取り付けた手提げカバンとすることで通勤用、あるいは通学用として幅広く活用することが可能となる。
【００３７】
なお、透明状ポケット４内には必ずしも創作紙Ａを挿し入れる必要性はなく、例えば和紙による装飾、不織布、あるいは写真を挿し入れても構わない。
【００３８】
また、本実施例では手提げカバンを例に挙げて説明を行っているが、必ずしも手提げカバンである必要性はなく、例えばショルダーバッグや手提げ、ショルダー兼用のカバンなどに透明状ポケットを設けた構成であっても構わない。
【００３９】
＜実施例２＞
図４は本考案を適用した透明状ポケット付き収納体の一例を説明するための模式図、図５は本考案を適用した透明状ポケット付き収納体の一例を説明するための側面図である。
【００４０】
ここで示す透明状ポケット付き収納体１は、手提げ（本実施例では手提げカバン）、あるいは肩掛け用のカバンやバッグとしての収納体２と、この収納体２の第１の側面体３に取り付けられた透明状ポケット４Ａとから構成されている。
【００４１】
なお、本実施例では、第１の側面体３に透明状ポケット４Ａが取り付けられた場合を例に挙げているが、第２の側面体３Ａに透明状ポケット４Ａが取り付けられても良く、また、第１の側面体３及び第２の側面体３Ａの双方に透明状ポケット４Ａが取り付けられても良い。
【００４２】
ここで、収納体２は皮革、合成皮革、あるいは合成樹脂材より形成され、第１の側面体３と第２の側面体３Ａと、この第１の側面体３と第２の側面体３Ａの周縁とを所定幅で連結する連結体５とから構成されている。
【００４３】
更に、収納体２の上端は出し入れ口６が形成され、この出し入れ口６を覆うためのスライドファスナー７が取り付けられている。
【００４４】
また、透明状ポケット付き収納体１の上部、即ち第１の側面体３と第２の側面体４の上端の略中央に把持部８がそれぞれ取り付けられている。
【００４５】
更に、収納体２の第１の側面体３には、第１の側面体３よりも一回り小さな形状の透明状ポケット４Ａが取り付けられている。
【００４６】
ここで、透明状ポケット４Ａの開閉部１０である透明プラスチック材より形成される透明体９の上辺１１を除く各辺１１Ａ、１１Ｂ、１１Ｃに沿って、収納体２の第１の側面体３との間に所定幅を有する立ち上がり連結体１３が取り付けられている。
【００４７】
この立ち上がり連結体１３は、収納体２の第１の側面体３を構成する素材として用いられる皮革、合成皮革、あるいは合成樹脂材等の素材で形成されると共に、第１の側面体３とは縫製等により取り付けられている。
【００４８】
また、立ち上がり連結体１３と透明体９とは縫製、あるいは熱溶着等により密閉状に取り付けられた構成とされている。
【００４９】
更に、透明体９の上辺１１と第１の側面体３との間の開閉部１０に、透明状ポケット４Ａ内に雨水等が浸入することができない防水処理を施したスライドファスナー７Ａが取り付けられている。なお、スライドファスナー７Ａは、密閉状の開閉部の一例である。
【００５０】
なお、本実施例では透明体９の上辺１１と第１の側面体３との間にスライドファスナー７Ａを取り付けた場合を例に挙げて説明を行っているが、密閉状の開閉部は必ずしもスライドファスナーを設ける必要はなく、その他の密閉状の開閉部であっても良い点は、上記した実施例１と同様である。
【００５１】
上記の様に構成されることによって、第１の側面体３に所定厚さを有する透明状ポケット４Ａが形成されることとなり、スライドファスナー７Ａから透明状ポケット４Ａ内への出し入れの自由度を高めた構成が実現することとなる。
【００５２】
［実施例２の変形例１］
図６（イ）は本考案を適用した透明状ポケット付き収納体の透明状ポケット４Ａの立ち上がり連結体の変形例１を説明するための模式図である。
【００５３】
本考案を適用した透明状ポケット付き収納体の変形例１では、図６（イ）に示すように、透明状ポケット４Ａの透明体９と第１の側面体３との間に所定幅を有する帯状の立ち上がり連結体１３Ａが設けられており、この立ち上がり連結体１３Ａには、その長手方向の略中央に沿って折目１４が設けられた構成とされている。
【００５４】
上記の様に構成された変形例１では、立ち上がり連結体１３Ａを折目１４から内側へ折り曲げることで、透明状ポケット４Ａの立ち上がり連結体１３Ａはその厚さ方向へ伸縮自在な構成が実現することとなる。
【００５５】
［実施例２の変形例２］
図６（ロ）は本考案を適用した透明状ポケット付き収納体の透明状ポケット４Ａの立ち上がり連結体の変形例２を説明するための模式図である。
【００５６】
本考案を適用した透明状ポケット付き収納体の変形例２では、図６（ロ）に示すように、透明状ポケット４Ａの透明体９と第１の側面体３との間に所定幅を有する帯状の立ち上がり連結体１３Ａが設けられており、この立ち上がり連結体１３Ａには、その長手方向の略中央に沿って数本の折目１４、１４Ａ、１４Ｂが設けられた構成とされている。
【００５７】
上記の様に構成された変形例２では、立ち上がり連結体１３Ａを折目１４、１４Ａ、１４Ｂから内側へジャバラ状に折り曲げることで、透明状ポケット４Ａの立ち上がり連結体１３Ａはその厚さ方向へ伸縮自在な構成が実現することとなる。
【００５８】
なお、上記した変形例１及び変形例２では透明状ポケットの立ち上がり連結体に折目を設けて伸縮自在とした構成を詳述するものであるが、必ずしも立ち上がり連結体に折目を設ける必要性はなく、立ち上がり連結体の材質が例えばゴム等のように伸縮性を有する素材を用いるものであっても構わない。
【００５９】
［実施例２の変形例３］
図７は本考案を適用した透明状ポケット付き収納体の透明状ポケットの開閉部の変形例を説明するための模式図である。
【００６０】
本考案を適用した透明状ポケット付き収納体の変形例３では、透明状ポケット４Ａは透明体９の上辺１１及び辺１１Ａを除く各辺１１Ｂ、１１Ｃに沿って、収納体２の第１の側面体３との間に所定幅を有する帯状の立ち上がり連結体１３Ａが取り付けられた構成とされている
【００６１】
また、透明体９の上辺１１及び辺１１Ａと第１の側面体３との間に形成された開閉部１０に、透明状ポケット４Ａ内に雨水等が浸入することができない防水処理を施したスライドファスナー７Ａが取り付けられている。
【００６２】
上記の様に構成された変形例３では、透明状ポケット４Ａの少なくとも２辺に沿って開閉部１０が設けられていることから、パソコンやテレビゲーム機のように厚みを有するスクリーンの出し入れを支障なく行うことが可能となる。
【００６３】
以上の構成よりなる本考案の透明状ポケット付き収納体の変形例３で、パソコン、あるいはテレビゲーム機のスクリーンＢを透明状ポケット４Ａ内に収納する場合には、図８に示すように、透明体９の上辺１１及び辺１１Ａに沿ってスライドファスナー７Ａで開閉部１０を開く。
【００６４】
そして、大きく開いた開閉部１０からスクリーンＢを挿入することで、スクリーンＢの厚さに応じて透明状ポケット４Ａの立ち上がり連結体１３Ａがその厚さ方向に伸長することとなり、スクリーンＢを透明状ポケット４Ａ内に容易に収納することが可能となる。その後、防水処理が施されたスライドファスナー７Ａで開閉部１０を密閉状に閉めることとなる。
【符号の説明】
【００６５】
１      透明状ポケット付き収納体
２      収納体
３      第１の側面体
３Ａ      第２の側面体
４、４Ａ  透明状ポケット
５      連結体
６      出し入れ口
７、７Ａ  スライドファスナー
８      把持部
９      透明体
１０    開閉部
１１    上辺
１１Ａ，１１Ｂ、１１Ｃ    辺
１２    被覆部材
１３、１３Ａ  立ち上がり連結体
１４、１４Ａ、１４Ｂ  折目
【図１】
0003170865.tif 000003
【図２】
0003170865.tif 000004
【図３】
0003170865.tif 000005
【図４】
0003170865.tif 000006
【図５】
0003170865.tif 000007
【図６】
0003170865.tif 000008
【図７】
0003170865.tif 000009
【図８】
0003170865.tif 000010
【図９】
0003170865.tif 000011